(57)【要約】【課題】この発明は、簡単な構造で、被展示物を内部ケースに保持し、外部ケースに嵌合して使用に供することができる物品展示具に関する。【解決手段】この物品展示具は、窓孔の全周を囲む窓枠部と、前記窓孔を覆って窓枠部に固着されたフィルムからなる支持枠を左右一対に設け、該支持枠間をヒンジ部を介して連結し、前記支持枠をヒンジ部を介してそれぞれのフィルムが重ね合されるように折り曲げ、フィルム間に被展示物を保持しうるようにした内部ケースと、略中央で連結可能に分割された一対の箱体構成部からなって前記折り曲げた内部ケースを嵌合し、該折り曲げ姿勢で内部ケースを拘束すると共に、前記窓孔に対応する切欠部を設けた箱形の外部ケースとからなることを特徴とする。【選択図】図１５
2006288442.tif 000002
【特許請求の範囲】
【請求項１】
窓孔の全周を囲む窓枠部と、前記窓孔を覆って窓枠部に固着されたフィルムからなる支持枠を左右一対に設け、該支持枠間をヒンジ部を介して連結し、前記支持枠をヒンジ部を介してそれぞれのフィルムが重ね合されるように折り曲げ、フィルム間に被展示物を保持しうるようにした内部ケースと、
略中央で連結可能に分割された一対の箱体構成部からなって前記折り曲げた内部ケースを嵌合し、該折り曲げ姿勢で内部ケースを拘束すると共に、前記窓孔に対応する切欠部を設けた箱形の外部ケースとからなることを特徴とする物品展示具。
【請求項２】
窓枠部が断面コ字状で環状に形成された枠体からなっており、該窓枠部の突出した上壁面に窓孔を覆うフィルムが一体に固着されており、
ヒンジ部が、一対の支持枠を重ねた際の厚みに相当する幅長に設定された連設片を有し、該連設片は、連設片の両側縁部に沿う屈曲部を介して一対の支持枠を基端側で連結してなることを特徴とする請求項１に記載の物品展示具。
【請求項３】
窓枠の基端側で外方に延びるフランジ片が一体に形成されてなることを特徴とする請求項１に記載の物品展示具。
【請求項４】
外部ケースが、窓孔および箱体を上下方向の略中央位置で二分割した一対の箱体構成部からなって、
該箱形構成部の分断側の端部に、凹凸係合する凹部と突部がそれぞれ形成されており、
上方の箱形構成部の上壁面には規則的に並んだ複数の係止突部が突設されており、
下方の箱形構成部の下壁面には前記係止突部を嵌合可能に規則的に並んだ複数の凹部または孔部からなる係止受部が形成されてなることを特徴とする請求項１から３のいずれかに記載の物品展示具。
【請求項５】
内部ケースの支持枠の横方向の最長個所の長さと縦方向の最長個所の長さが、連結した際の一対の箱形構成部の内壁面の横の長さと縦の長さにほぼ対応しており、重ね合わせた一対の支持枠の厚みの長さが前記一対の箱形構成部の内壁面の厚みの長さにほぼ対応しており、ヒンジ部で一対の支持枠を折り曲げた内部ケースが前記一対の箱形構成部の中空内で拘束されるように嵌合されることを特徴とする請求項１から４のいずれかに記載の物品展示具。
【発明の詳細な説明】
【技術分野】
【０００１】
本発明は、物品展示具の改良に関するものである。
【背景技術】
【０００２】
従来、例えば実用新案登録第３１０５２７２号に示す物品展示具では、巾の狭い略多角形状からなる独立した外枠と、その略中心部に設けた展示物の展示窓と、この展示窓を覆う伸縮性の樹脂フィルム体と、よりなる外部本体を一対設け、それぞれのフィルム体を重ね合せてその間に展示物を介在させ、この一対の外部本体を一体的に定着させることで、展示物を立体的に展示できるようにした商品の立体展示装置が知られている。
一対の外部本体の定着手段としては、上部外套本体と下部外套本体からなり、それぞれは断面がほぼ「コ」字形の直方体であって、この「コ」字形内巾は、上記外部本体の巾と略等しく、その下辺中心部に底辺が解放され上記外部本体の展示窓の径と略等しい半円状の透孔があり、上記上下部外套は、外部本体を嵌合させたのち、それぞれの半円状透孔が上下の関係で向い合いほぼ正円となるようにした外套本体を用いている。
【特許文献１】実用新案登録第３１０５２７２号
【発明の開示】
【発明が解決しようとする課題】
【０００３】
この発明が解決しようとする課題は、内部ケースがヒンジ部で接続された一対の支持枠からなっており、支持枠相互には掛止手段を設けずに、二分割された箱形構成部に嵌め込み、一対の箱形構成部を掛け止めて外部ケースを組み立てることで内部ケースを拘束して被展示物を中空に保持することができるようにした物品展示具を提供することにある。
【課題を解決するための手段】
【０００４】
この発明は、上記課題を解決するために、請求項１の発明では
窓孔の全周を囲む窓枠部と、前記窓孔を覆って窓枠部に固着されたフィルムからなる支持枠を左右一対に設け、該支持枠間をヒンジ部を介して連結し、前記支持枠をヒンジ部を介してそれぞれのフィルムが重ね合されるように折り曲げ、フィルム間に被展示物を保持しうるようにした内部ケースと、
略中央で連結可能に分割された一対の箱体構成部からなって前記折り曲げた内部ケースを嵌合し、該折り曲げ姿勢で内部ケースを拘束すると共に、前記窓孔に対応する切欠部を設けた箱形の外部ケースとからなることを特徴とする。
請求項２の発明では、
前記窓枠部が断面コ字状で環状に形成された枠体からなっており、該窓枠部の突出した上壁面に窓孔を覆うフィルムが一体に固着されており、
ヒンジ部が、一対の支持枠を重ねた際の厚みに相当する幅長に設定された連設片を有し、該連設片は、連設片の両側縁部に沿う屈曲部を介して一対の支持枠を基端側で連結してなることを特徴とする。
また、請求項３の発明では、
前記窓枠の基端側で外方に延びるフランジ片が一体に形成されてなることを特徴とする。
請求項４の発明では、
前記外部ケースが、窓孔および箱体を上下方向の略中央位置で二分割した一対の箱体構成部からなって、
該箱形構成部の分断側の端部に、凹凸係合する凹部と突部がそれぞれ形成されており、
上方の箱形構成部の上壁面には規則的に並んだ複数の突部が突設されており、
下方の箱形構成部の下壁面には前記突部を嵌合可能に規則的に並んだ複数の凹部または孔部が形成されてなることを特徴とする。
更に、請求項５の発明では、
前記内部ケースの支持枠の横方向の最長個所の長さと縦方向の最長個所の長さが、連結した際の一対の箱形構成部の内壁面の横の長さと縦の長さにほぼ対応しており、重ね合わせた一対の支持枠の厚みの長さが前記一対の箱形構成部の内壁面の厚みの長さにほぼ対応しており、ヒンジ部で一対の支持枠を折り曲げた内部ケースが前記一対の箱形構成部の中空内で拘束されるように嵌合されることを特徴とする。
【発明の効果】
【０００５】
この発明は、被展示物を内部ケースの緊張したフィルム間に挟み、内部ケースは外部ケースによって閉じた状態で拘束されるので、フィルムが被展示物の形状に沿って反発力を高めながら押し広げられ、被展示物はフィルムの反発力によって中空位置に保持される。
そして、内部ケースは開く方向に力が働くが外部ケースによって拘束され、前記内部ケースの開く方向の力は外部ケースの一対の箱形構成部の係合する方向と直交する方向に作用するので、上記箱形構成部間の係合力を強めることができ、簡単な構成とすることができる。
また、窓枠部を断面コ字状に形成し、その上壁面を窓枠部相互の衝合面とすることで、厚みの薄いプラスチック片であっても内部ケースとして利用することができ、また成形が容易となる。
また、フランジ片を設けることで、窓枠形状に拘わらずフランジ片の形状により、内部ケースを外部ケース内に拘束可能に嵌合することができる。
【発明を実施するための最良の形態】
【０００６】
以下に、この発明の物品展示具の好適実施例について図面を参照しながら説明する。
【実施例１】
【０００７】
［物品展示具］
物品展示具１は、被展示物Ｇを保持する薄肉のプラスチック材からなる内部ケース２と、該内部ケース２を拘束する厚肉のプラスチック材からなる外部ケース１０とから構成されている。
【０００８】
［内部ケース］
内部ケース２は、図１〜図６に示すように、一対の窓枠部５、５をヒンジ部６を介して屈曲自在に連結した構成からなっており、該ヒンジ部６を介して１８０°に展開する不使用位置と、窓枠部５を９０°づつ屈曲して重なりあう使用位置とに変位しうるようになっている。
【０００９】
［窓枠部］
窓枠部５は、図１２および図１３に示すように断面コ字状であって、図１から図３に展開状態を示すように環状（図示例では楕円形状）に形成された枠体からなっており、該窓枠部５で囲まれた部分を窓孔４とし、該窓孔４を緊張状態で覆うフィルム７が窓枠部５に固着されている。
【００１０】
窓枠部５の外周壁面５２の基端側には、その外周に沿って窓枠部５と同じ肉厚のフランジ片８が外向きに延出している。
このフランジ片８は、図示例の場合、上下の辺８ａが水平となり、左右の辺８ｂ、８ｂ’が垂直に形成されコーナー部分８ｃが湾曲するように形成されている。
そして、左右一対の窓枠部５の隣接する左右の辺８ｂ’にはヒンジ部６を介して屈曲自在に連結されている。
【００１１】
次に、窓枠部５が重なるように折り畳んだ内部ケース２を図４から図６に示す。
窓枠部５はその上壁面５ａ相互が衝合するように折り曲げられ、外側には図５に示すように窓枠部５の内周壁面５１と外周壁面５２で囲まれた溝底部５ｂが現れる。
【００１２】
［フィルム］
フィルム７は、本実施例の場合、弾性を有する透明なプラスチックフィルムからなっており、緊張状態で該フィルム７の縁部を窓枠部５の上壁面５ａ（フィルムを斜線で示す図３参照）または上壁面５ａを超えた外周壁面に一体に固着している。
【００１３】
［ヒンジ部］
ヒンジ部６は、一対の窓枠部５を重ねた際の厚みｗ（図４参照）に相当する幅長に設定された連設片６ａを有し、該連設片６ａの両側縁部に沿う一対の屈曲部６ｂを介して一対の窓枠部５をから延びるフランジ片８に連設されている。
屈曲部６ｂは、直線状に延びるＶ溝やＵ溝、または点線状に切り込まれた切り込み線など繰返して折り曲げできる強度を備えた構成であればよく、図示例では隣接する窓枠部５のフランジ片８の左右の辺８ｂ’と同一線上に形成される（図２参照）。
【００１４】
ここで、一対の窓枠部５を折り曲げて閉じる場合には、窓枠部５相互の上壁面５ａが衝合するように重ねる。
これにより各窓枠部５に固着された一対のフィルム７は、ほぼ隙間無く接するので、該フィルム７間に配置した被展示物Ｇはフィルム７の反発力により中空位置で保持することができる。
【００１５】
［外部ケース］
外部ケース１０は、図７に示すように、前記窓孔４に対応する切欠部１２を広面側の両面に形成した箱体からなっており、略中央で連結可能に分割された切欠構成部１２ａ、１２ｂを有する一対の箱体構成部１０Ａ、１０Ｂからなっている。
【００１６】
［箱形構成部］
箱形構成部１０Ａ、１０Ｂは、図示例では上下に二分割した場合を例示したが、左右に二分割する構成や、対角線に沿って２分割する構成であってもよい。
また、図示例ではほぼ正確に二等分するものであるが、いずれか一方に偏って二分割するものでもよい。
【００１７】
この箱形構成部１０Ａ、１０Ｂは、縦方向の断面が略コ字型からなっており、一方の箱形構成部１０Ａの分断側の端部には、凹凸係合する凸部１３ａが形成されており、他方の箱形構成部１０Ｂの分断側の端部には、前記凸部１３ａと係合する凹部１３ｂが形成されており、前記凸部１３ａを凹部１３ｂに嵌め込むことで箱形構成部１０Ａ、１０Ｂを図８に示すような１つの箱型の外部ケース１０に組み立てることができる（図１１参照）。
【００１８】
また、箱形構成部１０Ａと１０Ｂとを組み立てることで、前記略半円弧形状の切欠構成部１２ａ、１２ｂが、１つの楕円形の切欠部１２となり、外部ケース１０の広面となる前後両面に楕円形状の切欠部１２が形成される。
また、外部ケース１０の内壁面は、前記折り曲げた内部ケース２を嵌合し、折り曲げ姿勢で内部ケース２を拘束するようになっている。
【００１９】
また、図８に示す外部ケース１０の内壁面の横の長さＭ１は、窓枠部５を重ねた際の内部ケース２の横方向の最長個所の長さＬ（図５参照）とほぼ同じかやや大きく、また外部ケース１０の内壁面の縦の長さＭ２は、前記窓枠部５の横方向の最長個所の長さＬ２とほぼ同じかやや大きく設定されている。
更に、外部ケース１０の内壁面の幅の長さＭ３は、前記窓枠部５を重ねた際の厚みｗとほぼ同じかやや大きく設定されている。
【００２０】
これにより、ヒンジ部６で折り曲げられた内部ケース２が、前記外部ケース１０の内壁面で囲まれた中空内に嵌合し、前記内部ケース２の窓孔４が外部ケース１０の切欠部１２と整合するように拘束される。
このように窓枠部５から延びるフランジ片８の延出端は、内部ケース２の最長箇所となるので、フランジ片８の長さを適宜長さに調整することで、内部ケース２を外部ケース１０の内壁面と衝合させ確実に位置決めすることができる（図１２〜図１３参照）。
【００２１】
［使用方法］
上記構成からなるので、内部ケース２を開いて窓枠部５に被展示物Ｇを載置し、窓枠部５をその上壁面５ａが衝合するように重ねて内部ケース２を閉じる。
その状態で、内部ケース２を一方の箱形構成部１０Ａまたは１０Ｂに挿入し、次いで他方の箱形構成部１０Ｂまたは１０Ａを内部ケース２の他方側から外嵌し、箱形構成部１０Ａ、１０Ｂ相互を係合して外部ケース１０を組み立てる。
【００２２】
これにより、図１４および図１５に示すように、被展示物Ｇは内部ケース２の緊張したフィルム７間に挟まれて、内部ケース２は外部ケース１０によって閉じた状態で拘束されるので、フィルム７は被展示物Ｇの形状に沿って反発力を高めながら押し広げられ、被展示物Ｇはフィルム７の反発力によって中空位置に保持される。
【００２３】
また、内部ケース２は開く方向に力が働くが外部ケース１０によって拘束され、前記内部ケース２の開く方向の力は箱形構成部１０Ａ、１０Ｂの凸部１３ａと凹部１３ｂの係合する方向と直交する方向に作用するので、上記外部ケース１０の凹凸係合力を強めることができる。
【００２４】
［係止突部］
次に、本実施例では、上方の箱形構成部１０Ａの上壁面１０ａ上に係止突部１４が規則的に複数並んで突設している。
図示例では２列で８行の１６個の係止突部１４が等間隔となるように配置されている。
そして上壁面１０ａの端部と係止突部１４の間隔は、係止突部１４間の間隔の半分に設定されている。
【００２５】
［係止受部］
同様に、下方の箱形構成部１０Ｂの下壁面１０ｂ上には、前記係止突部１４を係合可能な係止受部１５が前記係止突部１４と同じ配置で規則的に複数並んで形成されている。
図示例で係止受部１５は２列で８行の１６個の孔からなって前記のように配置されている。ここで係止受部１５は凹部であってもよい。
【００２６】
また係止突部１４および係止受部１５の係合構造は、上記実施例に限定されず、上下に積み重ね可能な公知の係合構造を用いることもできる。
これにより、例えば図１６に例示するように、この物品展示具１を上下多段に積み重ねて使用することもできる。
また、この発明では内部ケースの窓枠部間に連結手段を設けない構成としたが、補助的に設けてもよい。
【００２７】
また窓孔や切欠部の形状は楕円に限らず、円形や正方形、多角形など任意の形状とすることができる。
フランジ片は、コーナ部を湾曲状にして箱体構成部へ挿入しやすくしたが、湾曲に形成しなくてもよいし、箱形構成部の形状によっては設けなくてもよい。
その他、要するにこの発明の要旨を変更しない範囲で種々設計変更しうること勿論である。
【図面の簡単な説明】
【００２８】
【図１】内部ケースを開いた状態の底面図である。
【図２】内部ケースを開いた状態の正面図である。
【図３】図２のフィルムをハッチングで示した図である。
【図４】内部ケースの平面図である。
【図５】内部ケースの正面図である。
【図６】（ａ）は内部ケースの右側面図、（ｂ）は同左側面図である。
【図７】外部ケースの分離した状態を示す正面図である。
【図８】外部ケースの正面図である。
【図９】（ａ）は外部ケースの平面図、（ｂ）は同底面図である。
【図１０】外部ケースの側面図である。
【図１１】図８のＢ−Ｂ断面図であり、外部ケースの係合状態を示す図である。
【図１２】図８のＡ−Ａ断面図であり、内部ケースの縦方向の嵌合状態を示す図である。
【図１３】図８のＣ−Ｃ断面図であり、内部ケースの横方向の嵌合状態を示す図である。
【図１４】物品展示具の使用状態を示す正面図である。
【図１５】図８のＣ−Ｃ断面における物品展示具の使用状態を示す断面図である。
【図１６】物品展示具の積み重ね状態の一例を示す参考図である。
【符号の説明】
【００２９】
１    物品展示具
２    内部ケース
４    窓孔
５    窓枠部
６    ヒンジ部
６ａ  連設片
６ｂ  屈曲部
７    フィルム
８    フランジ片
１０    外部ケース
１０Ａ、１０Ｂ  箱体構成部
１２    切欠部
１２ａ、１２ｂ  切欠構成部
１３ａ  凸部
１３ｂ  凹部
１４    係止突部
１５    係止受部
Ｇ    被展示物
【図１】
2006288442.tif 000003
【図２】
2006288442.tif 000004
【図３】
2006288442.tif 000005
【図４】
2006288442.tif 000006
【図５】
2006288442.tif 000007
【図６】
2006288442.tif 000008
【図７】
2006288442.tif 000009
【図８】
2006288442.tif 000010
【図９】
2006288442.tif 000011
【図１０】
2006288442.tif 000012
【図１１】
2006288442.tif 000013
【図１２】
2006288442.tif 000014
【図１３】
2006288442.tif 000015
【図１４】
2006288442.tif 000016
【図１５】
2006288442.tif 000017
【図１６】
2006288442.tif 000018